(57)【要約】【課題】表示画像とスクリーンのアスペクト比及び表示画像と入力画像のアスペクト比が異なる場合でも、スクリーンと入力画像の位置合わせがしやすい投射型表示装置、プログラム及び投射型表示装置の制御方法を提供すること。【解決手段】所定のアスペクト比の表示画像を表示するように構成された表示部４２と、複数のアスペクト比の入力画像信号に基づき前記表示部に表示する画像の表示制御を行う表示制御部３２と、前記表示部に表示されている画像をスクリーンに投射する投射部４０と、を含む投射型表示装置１０であって、表示制御部３２は、表示画像における入力画像表示領域をガイドするための入力表示領域ガイド画像を前記表示部に表示する入力表示領域ガイド画像表示制御部３４とを含む。【選択図】図１
2009027606.tif 000002
【特許請求の範囲】
【請求項１】
所定のアスペクト比の表示画像を表示するように構成された表示部と、
複数のアスペクト比の入力画像信号に基づき前記表示部に表示する画像の表示制御を行う表示制御部と、
前記表示部に表示されている画像をスクリーンに投射する投射部と、を含む投射型表示装置であって、
前記表示制御部は、
表示画像における入力画像表示領域をガイドするための入力表示領域ガイド画像を前記表示部に表示する入力表示領域ガイド画像表示制御部を、
含む事を特徴とする投射型表示装置。
【請求項２】
請求項１において、
前記入力表示領域ガイド画像表示制御部は、
入力表示領域ガイド画像として、入力画像表示領域として設定された領域と、それ以外の領域を含み、それ以外の領域は入力画像表示領域として設定された領域に比べて暗く設定されている画像を表示することを特徴とする投射型表示装置。
【請求項３】
請求項１乃至２のいずれかにおいて、
前記入力表示領域ガイド画像表示制御部は、
入力表示領域ガイド画像として、前記入力画像表示領域として設定された領域とそれ以外の領域の境界を示す線又は点又はこれらに関連して設定されたマークを含む画像を表示することを特徴とする投射型表示装置。
【請求項４】
請求項１乃至３のいずれかにおいて、
前記入力表示領域ガイド画像表示制御部は、
入力表示領域ガイド画像として、当該画像の縦または横の長さと前記入力画像表示領域の縦又は横の長さがほぼ一致するように前記入力画像表示領域が設定された画像を表示することを特徴とする投射型表示装置。
【請求項５】
請求項１乃至４のいずれかにおいて、
前記入力表示領域ガイド画像表示制御部は、
入力画像信号がないと判断した場合に、前記入力表示領域ガイド画像を表示するように制御することを特徴とする投射型表示装置。
【請求項６】
請求項１乃至５のいずれかにおいて、
前記スクリーンのアスペクト比が表示画像のアスペクト比よりも縦に対する横の割合が小さい又は横に対する縦の割合が小さいことを特徴とする投射型表示装置
【請求項７】
請求項１乃至６のいずれかにおいて、
使用するスクリーンのアスペクト比に関する情報であるスクリーンアスペクト比情報を受け付けるスクリーンアスペクト比情報受付部をさらに含み、
前記入力表示領域ガイド画像表示制御部は、
受け付けたスクリーンアスペクト比情報に基づきスクリーンのアスペクト比と表示画像のアスペクト比が所定の関係にあると判断した場合には、入力表示領域ガイド画像を表示することを特徴とする投射型表示装置。
【請求項８】
請求項１乃至７のいずれかにおいて、
使用するスクリーンの形状を検出するスクリーン形状検出部をさらに含み、
前記入力表示領域ガイド画像表示制御部は、
スクリーンの形状の検出結果に基づき、スクリーンのアスペクト比を求め、スクリーンのアスペクト比と表示画像のアスペクト比が所定の関係にあると判断した場合には、入力表示領域ガイド画像を表示することを特徴とする投射型表示装置。
【請求項９】
請求項１乃至８のいずれかにおいて、
予定する入力画像のアスペクト比に関する情報である入力アスペクト比情報を受け付ける入力アスペクト比情報受付部をさらに含み、
前記入力表示領域ガイド画像表示制御部は、
受け付けた入力アスペクト比情報に対応した入力表示領域ガイド画像を表示することを特徴とする投射型表示装置。
【請求項１０】
所定のアスペクト比の表示画像を表示するように構成された表示部と、
複数のアスペクト比の入力画像信号に基づき前記表示部に表示する画像を表示する表示制御部と、
前記表示部に表示されている画像をスクリーンに投射する投射部と、を含む投射型表示装置の制御方法であって、
前記表示画像における入力画像の表示領域をガイドするための入力表示領域ガイド画像を前記表示部に表示することを特徴とする投射型表示装置の制御方法。
【発明の詳細な説明】
【技術分野】
【０００１】
本発明は、投射型表示装置及び投射型表示装置の制御方法に関する。
【背景技術】
【０００２】
従来より、光源から射出された光束を光学的に処理して光学像を形成し、投射レンズにより光学像を拡大投射する投射型表示装置が知られており、近年では可動型の投射型表示装置も多く提供されている。かかる可動型の投射型表示装置ではスクリーンに対して最適な位置に設置するためには、プロジェクタ本体を適当と思われる位置に仮設置し、その上で電源を投入して実際に画像をスクリーンに投影し、その投影画面を見ながらプロジェクタ本体の位置を調整する方法がとられている。
【特許文献１】特開2002−162690号公報
【発明の開示】
【発明が解決しようとする課題】
【０００３】
最近ではワイドスクリーン対応の投射型表示装置も多くなっているが、依然としてスクリーン自体は、３：４対応の場合も多い。このような状況では、投射型表示装置に電源を投入するとワイドスクリーン全体に無信号画面が投射されるため、３：４のスクリーンへの投射画像の合わせ込みが難しかった。
【０００４】
本発明は、以上のような問題点に鑑みてなされたものであり、表示画像とスクリーンのアスペクト比及び表示画像と入力画像のアスペクト比が異なる場合でも、スクリーンと入力画像の位置合わせがしやすい投射型表示装置及び投射型表示装置の制御方法を提供することである。
【課題を解決するための手段】
【０００５】
（１）本発明は、所定のアスペクト比の表示画像を表示するように構成された表示部と、複数のアスペクト比の入力画像信号に基づき前記表示部に表示する画像の表示制御を行う表示制御部と、前記表示部に表示されている画像をスクリーンに投射する投射部と、を含む投射型表示装置であって、前記表示制御部は、表示画像における入力画像表示領域をガイドするための入力表示領域ガイド画像を前記表示部に表示する入力表示領域ガイド画像表示制御部を、含む事を特徴とする。
【０００６】
アスペクト比とは、画面や画像の縦と横の長さ(ピクセル数)の比である。
【０００７】
所定のアスペクト比の表示画像を表示するように構成された表示部とは、例えば表示部を構成する液晶パネルやＤＭＡやライトバルブが所定のアスペクト比で構成されている場合でもよいし、デフォルト状態で表示部が表示する画像が所定のアスペクト比である場合でもよいし、表示対象画像が入力されない状態で表示される画像が所定のアスペクト比である場合でもよい。
【０００８】
本発明によれば、入力表示領域ガイド画像を用いてスクリーンと入力画像の表示領域との位置合わせを行うことができる。従って、表示画像とスクリーンのアスペクト比及び表示画像と入力画像のアスペクト比が異なる場合でも、スクリーンと入力画像の位置合わせがしやすい投射型表示装置を提供することができる。
（２）本発明の投射型表示装置は、前記入力表示領域ガイド画像表示制御部は、入力表示領域ガイド画像として、入力画像表示領域として設定された領域と、それ以外の領域を含み、それ以外の領域は入力画像表示領域として設定された領域に比べて暗く設定されている画像を表示することを特徴とする。
（３）本発明の投射型表示装置は、前記入力表示領域ガイド画像表示制御部は、入力表示領域ガイド画像として、前記入力画像表示領域として設定された領域とそれ以外の領域の境界を示す線又は点又はこれらに関連して設定されたマークを含む画像を表示することを特徴とする。
（４）本発明の投射型表示装置は、前記入力表示領域ガイド画像表示制御部は、入力表示領域ガイド画像として、当該画像の縦または横の長さと前記入力画像表示領域の縦又は横の長さがほぼ一致するように前記入力画像表示領域が設定された画像を表示することを特徴とする。
（５）本発明の投射型表示装置は、前記入力表示領域ガイド画像表示制御部は、入力画像信号がないと判断した場合に、前記入力表示領域ガイド画像を表示するように制御することを特徴とする。
【０００９】
本発明によれば入力画像信号がない場合でも入力画像にあわせた位置合わせを行うことができる。
（６）本発明の投射型表示装置は、前記スクリーンのアスペクト比が表示画像のアスペクト比よりも縦に対する横の割合が小さい又は横に対する縦の割合が小さいことを特徴とする
スクリーンのアスペクト比が表示画像アスペクト比よりも縦に対する横の割合が小さいとは、表示画像（スクリーンに投射される画像）がスクリーンに比べ横長であることを意味する。
【００１０】
スクリーンのアスペクト比が表示画像のアスペクト比よりも横に対する縦の割合が小さいとは、表示画像（スクリーンに投射される画像）がスクリーンに比べ縦長であることを意味する。
（７）本発明の投射型表示装置は、使用するスクリーンのアスペクト比に関する情報であるスクリーンアスペクト比情報を受け付けるスクリーンアスペクト比情報受付部をさらに含み、前記入力表示領域ガイド画像表示制御部は、受け付けたスクリーンアスペクト比情報に基づきスクリーンのアスペクト比と表示画像のアスペクト比が所定の関係にあると判断した場合には、入力表示領域ガイド画像を表示することを特徴とする。
【００１１】
使用するスクリーンのスクリーンアスペクト比情報は、例えば入力操作により設定できるようにしてもよい。
【００１２】
スクリーンのアスペクト比と表示画像のアスペクト比が同じでない場合には位置合わせが困難である。従って入力表示領域ガイド画像表示制御部は、スクリーンのアスペクト比と表示画像のアスペクト比が同じでないと判断した場合に、入力表示領域ガイド画像を表示するようにしてもよい。
【００１３】
また、例えばスクリーンのアスペクト比が表示画像のアスペクト比よりも縦に対する横の割合が小さい又は横に対する縦の割合が小さい場合には、位置合わせが困難である。従って、入力表示領域ガイド画像表示制御部は、スクリーンのアスペクト比が表示画像のアスペクト比よりも横に対する縦の割合が小さいと判断した場合、または縦に対する横の割合が小さいと判断した場合には、入力表示領域ガイド画像を表示するようにしてもよい。
【００１４】
本発明によれば、位置合わせが困難な場合に、入力表示領域ガイド画像を表示させることができる。
（８）本発明の投射型表示装置は、使用するスクリーンの形状を検出するスクリーン形状検出部をさらに含み、前記入力表示領域ガイド画像表示制御部は、スクリーンの形状の検出結果に基づき、スクリーンのアスペクト比を求め、スクリーンのアスペクト比と表示画像のアスペクト比が所定の関係にあると判断した場合には、入力表示領域ガイド画像を表示することを特徴とする。
【００１５】
スクリーン形状検出部は、例えばＣＣＤカメラ等で実現することができる。
（９）本発明の投射型表示装置は、予定する入力画像のアスペクト比に関する情報である入力アスペクト比情報を受け付ける入力アスペクト比情報受付部をさらに含み、前記入力表示領域ガイド画像表示制御部は、受け付けた入力アスペクト比情報に対応した入力表示領域ガイド画像を表示することを特徴とする。
【００１６】
予定する入力画像のアスペクト比情報は、例えば入力操作により設定できるようにしてもよい。
（１０）本発明は、所定のアスペクト比の表示画像を表示するように構成された表示部と、複数のアスペクト比の入力画像信号に基づき前記表示部に表示する画像を表示する表示制御部と、前記表示部に表示されている画像をスクリーンに投射する投射部と、を含む投射型表示装置の制御方法であって、前記表示画像における入力画像の表示領域をガイドするための入力表示領域ガイド画像を前記表示部に表示することを特徴とする。
【発明を実施するための最良の形態】
【００１７】
以下、本発明の好適な実施形態について図面を用いて詳細に説明する。なお、以下に説明する実施の形態は、特許請求の範囲に記載された本発明の内容を不当に限定するものではない。また、以下で説明される構成の全てが本発明の必須構成要件であるとは限らない。
【００１８】
以下、本発明の実施形態に係る電子機器について、図面を参照して説明する。
【００１９】
図１は本実施の形態の投射型表示装置の一例であるプロジェクタの機能ブロック図である。
【００２０】
本実施の形態のプロジェクタ１０は表示部４４を含む。表示部４４は、液晶パネルやライトバルブ、ＤＭＤ等で実現され、所定のアスペクト比（例えば第１のアスペクト比）の表示画像を表示するように構成されている。例えば、液晶パネルの場合には液晶パネルの大きさが所定のアスペクト比となるように構成されている。尚、液晶パネルは、Ｒ、Ｇ、Ｂそれぞれに対応した３枚のパネルで構成されていてもよい。
【００２１】
本実施の形態のプロジェクタ１０は制御部３０を含む。制御部３０は、プロジェクタ１０の各種処理を行うもので、ＣＰＵやＤＳＰ等のハードウェアと投射型表示装置の各種処理を実行するためのプログラム等によって実現してもよい。
【００２２】
制御部３０は、表示部４４に表示する画像を制御する表示制御部３２を含む。表示制御部３２は、表示画像における入力画像の表示領域をガイドするための入力表示領域ガイド画像を表示部４４に表示する表示制御を行う。
【００２３】
入力表示領域ガイド画像表示制御部３４は、入力表示領域ガイド画像として、入力画像の表示領域に関連して設定された領域と、それ以外の領域を含む。それ以外の領域は、入力画像の表示領域に関連して設定された領域に比べて暗く設定される画像を表示するようにしてもよい。
【００２４】
また、入力表示領域ガイド画像表示制御部３４は、入力表示領域ガイド画像として、入力画像表示領域に関連して設定された領域とそれ以外の領域の境界を示す線又は点又はこれらに関連して設定されたマークを含む画像を表示するようにしてもよい。
【００２５】
また、入力表示領域ガイド画像表示制御部３４は、入力表示領域ガイド画像として、当該画像の縦または横の長さと前記入力画像表示領域の縦又は横の長さがほぼ一致するように入力画像表示領域に設定された画像を表示するようにしてもよい。
【００２６】
また、入力表示領域ガイド画像表示制御部３４は、入力画像信号がないと判断した場合は、入力表示領域ガイド画像を表示するようにしてもよい。
【００２７】
また、入力表示領域ガイド画像表示制御部３４は、受け付けたスクリーンアスペクト比情報に基づきスクリーン２１０のアスペクト比と表示画像のアスペクト比が所定の関係にあると判断した場合には、入力表示領域ガイド画像を表示するようにしてもよい。
【００２８】
また、入力表示領域ガイド画像表示制御部３４は、スクリーン２１０の形状の検出結果に基づき、スクリーン２１０のアスペクト比を求め、スクリーン２１０のアスペクト比と表示画像のアスペクト比が所定の関係にあると判断した場合には、入力表示領域ガイド画像を表示するようにしてもよい。
【００２９】
また、入力表示領域ガイド画像表示制御部３４は、受け付けた入力アスペクト比情報に対応した入力表示領域ガイド画像を表示するようにしてもよい。
【００３０】
本実施の形態のプロジェクタ１０は、操作部７０を含む。操作部７０は、ユーザーが操作データや操作指示を入力するためのものであり、その機能は、レバー、ボタン、テアリング、つまみ、タッチパネル等により実現できる。操作部７０は、使用するスクリーン２１０のアスペクト比に関する情報であるスクリーンアスペクト比情報を受け付けるスクリーンアスペクト比情報受付部として機能するようにしてもよい。また操作部７０は、予定する入力画像のアスペクト比に関する情報である入力アスペクト比情報を受け付ける入力アスペクト比情報受付部として機能するようにしてもよい。
【００３１】
本実施の形態のプロジェクタ１０は、入力画像信号受付部９０を含む。入力画像信号受付部９０は通信装置等で構成され、外部の入力画像供給装置（例えばＰＣ）等から供給される入力画像信号を受け取る。本実施の形態では、表示画像のアスペクト比とは異なるアスペクト比を含む複数のアスペクト比の入力画像信号９２が入力される。
【００３２】
本実施の形態のプロジェクタ１０は、撮像部２０を含む。撮像部２０はＣＣＤカメラ等で構成され、使用するスクリーン２１０の形状を検出するスクリーン形状検出部として機能する。
【００３３】
本実施の形態のプロジェクタ１０は、投射光学系４０を含む。投射光学系４０は、ランプユニット等の光源４２、表示部４４と、投射レンズ４６とを備えており、プロジェクタ１０の外部のスクリーン面２１０等に画像の投射表示を行うものであり、表示部４４に表示されている画像をスクリーン２１０に投射する投射部として機能する。
【００３４】
光源４２は、表示部４４に光を照射するものであって、バラスト部６４で生成された光源駆動電力により点灯動作を行う。表示部４４は、マトリクス状に形成された図示しない複数の画素を備えており、光源４２から射出した光を、表示制御部３２から入力される画像信号３６に基づいて画素毎に変調することによって画像信号に応じた光学像を形成する。
【００３５】
表示部４４によって形成された光学像は、投射レンズ４６によってスクリーン面２１０等に拡大投射される。
【００３６】
本実施の形態のプロジェクタ１０は、電源部６０を含む。電源部６０は、ＡＣ１００Ｖ等の商用電源を入力して投射型表示装置１０の各種動作に必要な直流の電源電圧を生成する主電源部６２と、投射光学系４０の光源を駆動するバラスト部６４とを含む。主電源部６２は、商用電源を全波整流によって直流に変換する整流回路と、高調波電流を抑制するとともに力率を改善する力率改善（ＰＦＣ：Pow er Factor Correction）回路と、力率改善回路の出力をトランス（変圧器）ａにより所定の電圧に変換するＤＣ−ＤＣ変換回路等とを有しており、商用電源から、制御部６０を動作させる動作電力等も生成するようにしてもよい。
【００３７】
バラスト部６４は、トランスの１次側（商用電源側）に備えられた力率改善回路に接続されており、力率改善回路からの出力電圧を降圧させる降圧チョッパと、降圧チョッパによって降圧された直流電流を交流矩形波電流（光源駆動電力）に変換するインバータと、光源ランプの電極間の絶縁破壊を行って、光源ランプの始動を促すためのイグナイタ等とを備えている。
【００３８】
図２（Ａ）〜（Ｃ）は、無信号画像３００とその投射例を示す図である。
【００３９】
図２（Ａ）は、表示画像が第１のアスペクト比となるように構成された表示部４４を持つプロジェクタ１０（以下、第１のアスペクト比のプロジェクタという）の無信号画像３００が、第１のアスペクト比とは異なる第２のアスペクト比のスクリーン２１０に投射されている様子を示している。
【００４０】
無信号画像３００とは、表示対象となる画像がない場合や入力画像信号がない場合に表示される画像であり、例えば表示画像の全画素が所定の色（例えば青）であるような画像である。第１のアスペクト比は、例えば縦横比が９：１６であるようなワイドスクリーン対応の画像のアスペクト比でもよい。
【００４１】
無信号画像３００のアスペクト比は、第１のアスペクト比のプロジェクタの表示画像のアスペクト比と等しい。従って、第１のアスペクト比のプロジェクタの表示画像のアスペクト比がａ：ｂである場合には、無信号画像３００のアスペクト比であるＬ１：Ｌ２はａ：ｂとなる。
【００４２】
図２（Ｂ）は、第１のアスペクト比のプロジェクタの無信号画像３００が、第１のアスペクト比に対応したスクリーン（以下、第１のアスペクト比のスクリーンという）２１０に表示されている様子を示している。
【００４３】
図２（Ｃ）は、第１のアスペクト比のプロジェクタの無信号画像３００が、第２のアスペクト比に対応したスクリーン（以下、第２のアスペクト比のスクリーンという）２１０に表示されている様子を示している。
【００４４】
第２のアスペクト比は、第１のアスペクト比よりも縦に対する横の割合が小さい場合は、縦横比が３：４の場合でよい。第２のアスペクト比のスクリーンとは、例えば縦横比が３：４の通常のスクリーンでもよい。
【００４５】
プロジェクタ１０は光源４２が点灯してから投射が可能となるため、先に電源スイッチを入れて光源４２を点灯させてから映像信号の入力を開始する場合が多い。このような電源投入直後（電源を投入してから映像信号を受信するまでの間、例えばプロジェクタ１０の起動直後）は、スクリーン２１０に無信号画像３００が投射される。
【００４６】
図３は、第１のアスペクト比のプロジェクタの無信号画像３００と第２のアスペクト比のスクリーン２１０の位置合わせの一例を示す図である。
【００４７】
第１のアスペクト比のプロジェクタの無信号画像３００の投射時に、無信号画像３００とスクリーン２１０の位置合わせを行う場合には、同図に示すように、スクリーン２１０内に無信号画像３００が収まるように位置合わせを行うのが一般的である。
【００４８】
ところが、第１のアスペクト比（例えばワイドスクリーン）対応のプロジェクタでも、第２のアスペクト比（例えば３：４）対応の画像を表示する場合もある。
【００４９】
図４は、第１のアスペクト比対応のプロジェクタが、第２のアスペクト比対応の画像（以下入力画像という）を表示する場合の表示画像（投射される画像）３３０を示す図である。
【００５０】
第１のアスペクトのプロジェクタの表示画像３３０は、第１のアスペクト比である。表示画像３３０は、入力画像表示領域３３２と無表示領域３３４、３３６とで構成される。入力画像表示領域３３２には入力画像（第２のアスペクト比の画像）が表示され、無表示領域３３４、３３６は所定の色（例えば黒）が表示されている。
【００５１】
図５は第１のアスペクト比のスクリーン２１０に、第１のアスペクト比のプロジェクタを用いて、第２のアスペクト比の入力画像を表示する場合の様子を示している。
【００５２】
このような場合には、無信号画像３００を用いてスクリーン２１０に対する位置合わせを行うことにより、表示画像（第１のアスペクト比のプロジェクタが投射した画像）３３０を第１のアスペクト比のスクリーン２１０に目一杯表示させることができる。従って、入力画像３３２はワイドスクリーン２１０の縦方向を目一杯使用できるので特に問題はない。
【００５３】
図６は第２のアスペクト比のスクリーン２１０に、第１のアスペクト比のプロジェクタを用いて、第２のアスペクト比の入力画像３３２を表示する場合の様子を示している。
【００５４】
このような場合、スクリーン２１０と入力画像（第２のアスペクト比の画像３３２）のアスペクト比が同じであるため、本来なら入力画像３３２をスクリーン２１０に目一杯表示することが好ましい。ところが、第１のアスペクト比のプロジェクタの無信号画像３００を使って図３のような位置合わせを行うと、図６に示すように入力画像３３２の表示領域がスクリーン２１０に対して占める割合は小さくなり、スクリーンを効率よく使用することができない。
【００５５】
図７〜図９は、本実施の形態の入力表示領域ガイド画像４１０について説明するための図である。
【００５６】
入力表示領域ガイド画像４１０は、表示画像における入力画像の表示領域をガイドするための画像である。すなわち第１のアスペクト比のプロジェクタが、第１のアスペクト比とは異なる第２のアスペクト比の入力画像の表示領域をガイドするための画像である。
【００５７】
例えば、図７の入力表示領域ガイド画像４１０に示すように、入力画像の表示領域に関連して設定された領域（以下、表示領域という）４１２をそれ以外の領域（以下、表示外領域という）４１４，４１６との境界を示すガイドライン４１５、４１７を表示するようにしてもよい。
【００５８】
なおガイドラインに限らず、表示領域４１２と表示外領域の境界を示す点（例えば境界上の２点）を表示するようにしても良いし、境界を示すマーク（例えば’「’’」’等のカギ括弧）を表示するようにしても良い。このようにすると、表示（投射）画像におけるガイドライン４１５、４１７等を用いてスクリーン２１０との位置合わせを行うことにより、入力画像をスクリーン２１０に効率よく表示することができる。
【００５９】
入力画像の表示領域に関連して設定された領域（以下、表示領域という）４１２は、入力画像とアスペクト比が同じ（入力画像と相似形）にすることが好ましいが、多少のバッファを設けることにより多少アスペクト比が異なる場合も本発明の範囲内である。
【００６０】
また、例えば図８の入力表示領域ガイド画像４１０に示すように、表示領域４１２を表示外領域４１４，４１６とは異なる表示態様で表示するようにしてもよい。異なる表示態様としては、例えば表示領域４１２と表示外領域４１４，４１６とで色や模様や輝度を変えるようにしてもよい。このようにすると、表示態様で識別可能な表示領域４１２とスクリーン２１０との位置合わせを行うことにより、入力画像をスクリーン２１０に効率よく表示することができる。
【００６１】
ここで、図９の入力表示領域ガイド画像４１０に示すように、表示外領域４１４，４１６の輝度を表示領域４１２の輝度よりも小さく（暗く）なるように設定してもよい。
【００６２】
表示外領域４１４，４１６が表示される部分にはスクリーン２１０がないので、スクリーン２１０によって投射光を遮ることができない。したがって、この表示外領域４１４，４１６の輝度が高いと、スクリーン２１０の左右の領域に入ったユーザーの目に負荷がかかる事になる。
【００６３】
しかし本実施の形態によれば、表示外領域４１４，４１６の輝度を表示領域４１２の輝度よりも小さくしているので、ユーザーの目にかかる負荷を低減することができる。
【００６４】
なお、ユーザーの目にかかる負担を極力なくすために表示外領域４１４、４１６に黒を表示するようにしてもよい。
【００６５】
また、図８の入力表示領域ガイド画像４１０に示すように、入力表示領域ガイド画像４１０の縦方向一杯に表示領域４１２を設定するようにしてもよいし、図１０の入力表示領域ガイド画像４１０に示すように、当該画像４１０の縦方向に余裕を残して表示領域４１２を設定するようにしてもよい。
【００６６】
図１１（Ａ）〜（Ｃ）は、スクリーンのアスペクト比と、プロジェクタのアスペクト比の関係を示した図である。プロジェクタのアスペクト比は、当該プロジェクタ１０の無信号画像３００のアスペクト比と等しくなるものとして説明する。
【００６７】
図１１（Ａ）は、スクリーン６１０のアスペクト比と無信号画像３００のアスペクト比が異なる場合を示している。このような場合は図４〜図６で説明したように、無信号画像３００（入力無信号時の画像）では位置合わせが困難である。
【００６８】
これに対し図１１（Ｂ）に示すように、スクリーン２１０のアスペクト比と無信号画像３００のアスペクト比が同じである場合には、無信号画像３００（入力無信号時の画像）で位置合わせが可能である。
【００６９】
従って、入力表示領域ガイド画像表示制御部３４は、スクリーンのアスペクト比と第１のアスペクト比が同じでないと判断した場合に、入力表示領域ガイド画像を表示する制御を行う。
【００７０】
また図１１（Ｃ）も、スクリーン２１０のアスペクト比が無信号画像３００のアスペクト比が異なる場合を示している。ここで図１１（Ａ）では、スクリーン２１０のアスペクト比が無信号画像３００のアスペクト比よりも縦に対する横の割合が小さいので無信号画像３００（入力無信号時の画像）では位置合わせが困難である。これに対し図１１（Ｃ）でスクリーン２１０のアスペクト比が無信号画像３００のアスペクト比よりも縦に対する横の割合が大きいので無信号画像３００（入力無信号時の画像）で位置合わせが可能である。
【００７１】
従って、スクリーン２１０のアスペクト比が無信号画像のアスペクト比よりも縦に対する横の割合が小さい又は横に対する縦の割合が小さいと判断した場合に入力表示領域ガイド画像を表示する制御を行うようにしてもよい。
【００７２】
なお、使用するスクリーンのアスペクト比に関するアスペクト比情報は、例えば操作部からの操作入力により設定できるようにしてもよい。入力表示領域ガイド画像表示制御部３４は、設定されているアスペクト比情報に基づき、スクリーン２１０のアスペクト比を判断するようにしてもよい。
【００７３】
また撮像部２０でスクリーン２１０を撮影し、撮影画像に基づきスクリーン２１０の形状を検出するようにしてもよい。入力表示領域ガイド画像表示制御部３４は、検出結果に基づき、スクリーン２１０のアスペクト比を判断するようにしてもよい。
【００７４】
図１２（Ａ）〜（Ｃ）は、アスペクト比の異なる入力画像に対応した入力表示領域ガイド画像４１０を示す図である。図１２（Ａ）は、第２のアスペクト比（縦横比がａ２：ｂ２）の入力画像に対応した入力表示領域ガイド画像４１０ａである。図１２（Ｂ）は、第３のアスペクト比（縦横比がａ３：ｂ３）の入力画像に対応した入力表示領域ガイド画像４１０ｂである。図１２（Ｃ）は、第４のアスペクト比（縦横比がａ４：ｂ４）の入力画像に対応した入力表示領域ガイド画像４１０ｃである。
【００７５】
図１２（Ａ）〜（Ｃ）に示すようなアスペクト比の異なる複数の入力画像に対応した、入力表示領域ガイド画像４１０ａ、４１０ｂ、４１０ｃを用意しておいて、所定の条件に基づきいずれかの入力表示領域ガイド画像４１０を選択して表示するようにしてもよい。
【００７６】
また、所定の条件に基づきいずれかのアスペクト比の入力画像に対応した入力表示領域ガイド画像４１０を生成して表示するようにしてもよい。
【００７７】
例えば、予定する入力画像のアスペクト比に関する情報である入力アスペクト比情報を受け付け、受け付けた入力アスペクト比情報に対応した入力表示領域ガイド画像４１０を表示するようにしてもよい。例えば、受け付けた入力アスペクト比情報が第２のアスペクト比、第３のアスペクト比、第４２のアスペクト比のいずれに該当するか判断して、該当するアスペクト比に対応した入力表示領域ガイド画像４１０を表示するようにしてもよい。
【００７８】
図１３は、本実施の形態の処理の流れを示すフローチャート図である。
【００７９】
所定期間毎（例えば１／６０秒ごと）にステップＳ１０〜Ｓ５０の処理を行うようにしてもよい。
【００８０】
入力画像信号の有無を検出し、入力信号がない場合には以下の処理を行う（ステップＳ１０）。
【００８１】
まず、スクリーンアスペクト比情報の設定の有無を検出し、設定されている場合には（ステップＳ２０）、スクリーン２１０のアスペクト比と表示画像のアスペクト比が違うか否か判断する（ステップＳ３０）。設定されていない場合にはステップＳ４０へ行く。
【００８２】
スクリーン２１０のアスペクト比と表示画像のアスペクト比が同じ場合には入力表示領域ガイド画像４１０を表示しない。スクリーンのアスペクト比と表示画像のアスペクト比が違う場合には（ステップＳ３０）、入力アスペクト比情報が設定されているか判断する（ステップＳ４０）。
【００８３】
入力アスペクト比情報が設定されている場合には、入力アスペクト比情報に対応した入力表示領域ガイド画像４１０を表示する（ステップＳ５０）
また、入力アスペクト比情報が設定されていない場合には、デフォルトの入力表示領域ガイド画像４１０を表示する（ステップＳ６０）。
【００８４】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【００８５】
また、プロジェクタは、液晶パネルを用いたプロジェクタには限定されず、例えば、ＤＭＤ(Digital Micromirror Device)を用いたプロジェクタ等であってもよい。なお、ＤＭＤ  は、米国テキサス・インスツルメンツ社の商標である。
【図面の簡単な説明】
【００８６】
【図１】本実施の形態の投射型表示装置の一例であるプロジェクタの機能ブロック図。
【図２】図２（Ａ）〜（Ｃ）は、無信号画像とその投射例を示す図。
【図３】第１のアスペクト比のプロジェクタの無信号画像と第２のアスペクト比のスクリーンの位置合わせの一例を示す図。
【図４】第１のアスペクト比対応のプロジェクタが、第２のアスペクト比対応の画像を表示する場合の表示画像を示す図。
【図５】第１のアスペクト比のスクリーンに、第１のアスペクト比のプロジェクタを用いて、第２のアスペクト比の入力画像を表示する場合の様子を示す図。
【図６】第２のアスペクト比のスクリーンに、第１のアスペクト比のプロジェクタを用いて、第２のアスペクト比の入力画像を表示する場合の様子を示す図。
【図７】本実施の形態の入力表示領域ガイド画像について説明するための図。
【図８】本実施の形態の入力表示領域ガイド画像について説明するための図。
【図９】本実施の形態の入力表示領域ガイド画像について説明するための図。
【図１０】縦方向に余裕を残して表示領域が設定された入力表示領域ガイド画像に示す図。
【図１１】図１１（Ａ）〜（Ｃ）は、スクリーンのアスペクト比と、プロジェクタのアスペクト比の関係を示した図。
【図１２】図１２（Ａ）〜（Ｃ）は、アスペクト比の異なる入力画像に対応した入力表示領域ガイド画像４１０を示す図。
【図１３】本実施の形態の処理の流れを示すフローチャート。
【符号の説明】
【００８７】
１０  プロジェクタ、２０  撮像部、３０  制御部、３２  表示制御部、３４  入力表示領域ガイド画像表示制御部、３６  画像信号、４２  光源、４４  表示部、４６  光学系、６０  電源部、６４  バラスト部、６２  主電源部、７０  操作部、２１０  スクリーン、３００  無信号画像、３３０  表示画像、３３２  入力画像表示領域、３３４，３３６  無表示領域、４１２  表示領域、４１４，４１６  表示外領域、４１５、４１７  ガイドライン
【図１】
2009027606.tif 000003
【図２】
2009027606.tif 000004
【図３】
2009027606.tif 000005
【図４】
2009027606.tif 000006
【図５】
2009027606.tif 000007
【図６】
2009027606.tif 000008
【図７】
2009027606.tif 000009
【図８】
2009027606.tif 000010
【図９】
2009027606.tif 000011
【図１０】
2009027606.tif 000012
【図１１】
2009027606.tif 000013
【図１２】
2009027606.tif 000014
【図１３】
2009027606.tif 000015